(57)【要約】【課題】音声情報のＡＴＭセルの転送の正常ではない状態を軽減または回避し、現在の通信を極力維持することを可能とする。【解決手段】ＡＴＭ伝送路を介して対向接続された加入者宅内装置及び局内集線装置各々で、通信開始時に、符号化部は音声情報を高レートの符号則で符号化し、音声情報分割部はそれを符号則情報とともにＡＴＭセル化し相手装置へ送信する。音声情報再組立部は相手装置から受信したＡＴＭセルから音声情報とその符号則とを抽出する。復号化部で相手装置の符号則が低レートになったことを検出した場合、及び間隔監視で相手装置からのＡＴＭセルの到着間隔が所定回数連続して所定時間を越えたことを検出した場合に、符号化部の使用符号則を低レートの符号則に変更する。【選択図】      図２
2004207964.tif 000002
【特許請求の範囲】
【請求項１】
外部から入力された音声情報を少なくとも第１のレートの符号則及びそれより低レートである第２のレートの符号則のいずれかにより符号化する符号化手段と、
前記符号化手段で符号化された音声情報を所定量単位で分割し、対応する符号則情報とともにＡＴＭセルに挿入し、ＡＴＭ伝送路を介して対向する装置へ順次送出する音声情報分割手段と、
前記ＡＴＭ伝送路を介して対向する装置からのＡＴＭセルを順次受信し、前記少なくとも第１のレートの符号則及びそれより低レートである第２のレートの符号則のいずれかにより符号化された音声情報を抽出し、対応する符号則情報とともに一時蓄積する音声情報再組立手段と、
前記音声情報再組立手段に蓄積された符号化された音声情報を順次読み出し、対応する符号則情報に基づいて復号し外部へ出力するとともに、該当符号則が前記符号化手段で符号化している符号則より低レートである場合に、前記符号化手段に対し該当符号則で符号化するよう指示する復号化手段と、
前記音声情報再組立手段で受信する前記ＡＴＭ伝送路を介して対向する装置からのＡＴＭセルの到着間隔時間を監視し、所定回数連続して対応する符号則に応じた規定間隔時間と許容される変動時間とから求めた所定時間を越えるか判定し、所定回数連続して所定時間を越えた場合に、前記符号化手段に対し現在の符号則より低レートの符号則で符号化するよう指示する間隔監視手段とを備えることを特徴とする音声符号化復号化装置。
【請求項２】
外部から入力された音声情報を少なくとも第１のレートの符号則及びそれより低レートである第２のレートの符号則のいずれかにより符号化する符号化手段と、
前記符号化手段で符号化された音声情報を所定量単位で分割し、対応する符号則情報とともにＡＴＭセルに挿入し、ＡＴＭ伝送路を介して対向する装置へ順次送出する音声情報分割手段と、
前記ＡＴＭ伝送路を介して対向する装置からのＡＴＭセルを順次受信し、前記少なくとも第１のレートの符号則及びそれより低レートである第２のレートの符号則のいずれかにより符号化された音声情報を抽出し、対応する符号則情報とともに一時蓄積する音声情報再組立手段と、
前記音声情報再組立手段に蓄積された符号化された音声情報を順次読み出し、対応する符号則情報に基づいて復号し外部へ出力するとともに、該当符号則が前記符号化手段で符号化している符号則より低レートである場合に、前記符号化手段に対し該当符号則で符号化するよう指示する復号化手段と、
前記音声情報再組立手段に一時蓄積された音声情報の蓄積量を監視し、所定量以上あるか判定し、所定量未満となった場合に、前記符号化手段に対し現在の符号則より低レートの符号則で符号化するよう指示する蓄積量監視手段とを備えることを特徴とする音声符号化復号化装置。
【請求項３】
請求項１または２記載の音声符号化復号化装置で構成され、収容した電話端末との間で音声情報を送受信する加入者宅内装置と、
請求項１または２記載の音声符号化復号化装置で構成され、収容された回線交換機との間で音声情報を送受信する局内終端装置と、
ＡＴＭ装置を含んで構成され、前記加入者宅内装置及び前記局内終端装置間を接続し、ＡＴＭセルを相互に転送するＡＴＭ伝送路とを備えることを特徴とするＶｏＡＴＭ通信システム。
【請求項４】
２つの請求項１記載の音声符号化復号化装置がＡＴＭ伝送路を介して対向接続されたＶｏＡＴＭ通信システムの音声符号化選択の制御方法において、
通信開始時に、前記２つの音声符号化復号化装置両方とも最高レートの符号則で音声情報の符号化を行い、
いずれか一方の音声符号化復号化装置で、対向する他方の音声符号化復号化装置からのＡＴＭセルの到着間隔時間が所定回数連続して所定時間を越えたことを検出すると、自装置の符号則を現在の符号則より低レートの符号則とし、
前記他方の音声符号化復号化装置で、前記一方の音声符号化復号化装置の符号則が現在の符号則より低レートの符号則となったことを検出すると、自装置の符号則を該当低レートの符号則とすることを特徴とする音声符号化選択の制御方法。
【請求項５】
２つの請求項２記載の音声符号化復号化装置がＡＴＭ伝送路を介して対向接続されたＶｏＡＴＭ通信システムの音声符号化選択の制御方法において、
通信開始時に、前記２つの音声符号化復号化装置両方とも最高レートの符号則で音声情報の符号化を行い、
いずれか一方の音声符号化復号化装置で、対向する他方の音声符号化復号化装置からのＡＴＭセルから抽出した音声情報の一時蓄積量が所定量未満となったことを検出すると、自装置の符号則を現在の符号則より低レートの符号則とし、
前記他方の音声符号化復号化装置で、前記一方の音声符号化復号化装置の符号則が現在の符号則より低レートの符号則となったことを検出すると、自装置の符号則を該当低レートの符号則とすることを特徴とする音声符号化選択の制御方法。
【請求項６】
請求項１記載の第１の音声符号化復号化装置と請求項２記載の第２の音声符号化復号化装置とがＡＴＭ伝送路を介して対向接続されたＶｏＡＴＭ通信システムの音声符号化選択の制御方法において、
通信開始時に、前記第１及び第２の音声符号化復号化装置両方とも最高レートの符号則で音声情報の符号化を行い、
前記第１の音声符号化復号化装置で、前記第２の音声符号化復号化装置からのＡＴＭセルの到着間隔時間が所定回数連続して所定時間を越えたことを検出すると、自装置の符号則を現在の符号則より低レートの符号則とし、前記第２の音声符号化復号化装置で、前記第１の音声符号化復号化装置の符号則が現在の符号則より低レートの符号則となったことを検出すると、自装置の符号則を該当低レートの符号則とし、
前記第２の音声符号化復号化装置で、前記第１の音声符号化復号化装置からのＡＴＭセルから抽出した音声情報の一時蓄積量が所定量未満となったことを検出すると、自装置の符号則を現在の符号則より低レートの符号則とし、前記第１の音声符号化復号化装置で、前記第２の音声符号化復号化装置の符号則が現在の符号則より低レートの符号則となったことを検出すると、自装置の符号則を該当低レートの符号則とすることを特徴とする音声符号化選択の制御方法。
【発明の詳細な説明】
【０００１】
【発明の属する技術分野】
本発明は、音声情報を複数の符号則のいずれかを用いて符号化し、ＡＴＭセルに組立てて通信するＶｏＡＴＭ通信システムと、それに用いる音声符号化復号化装置と、その音声符号化選択の制御方法とに関する。
【０００２】
【従来の技術】
ＡＴＭ（Ａｓｙｎｃｈｒｏｎｏｕｓ  Ｔｒａｎｓｆｅｒ  Ｍｏｄｅ：非同期転送モード）通信システムでは、伝送すべきユーザ情報（マルチメディア情報）を固定オクテット長（１オクテット＝８ビット（1バイト））のセル（ＡＴＭセル）に分割してＡＴＭ網を転送させている。音声情報を伝送する場合、音声情報を所定の符号化則に従い符号化した後、ＡＴＭセル化してＡＴＭ網を転送させており、特にＶｏＡＴＭ通信システムと称することがある。
【０００３】
このＶｏＡＴＭ通信システムでは、そのＡＴＭ網の構成要素であるＡＴＭ装置において音声のＡＴＭセルが他のＡＴＭセルと共存（競合）するため、使用状態によっては輻輳状態を引き起こしＡＴＭセルを正常に転送できなくなる場合（セル廃棄）が発生する可能性がある。この場合、ＡＴＭ網全体において通信の瞬断あるいは切断といった現象となりＡＴＭ網が使用不能な状態に陥る可能性がある。また同通信システムでは、例えばｘＤＳＬなどといった設置環境条件に特に左右されて伝送帯域が制限される可能性をもつＡＴＭ伝送路が使用される場合があり、帯域制限された状態で使用するとＡＴＭセルの正常な転送が行われなくなる可能性がある。このような場合に対処するため、輻輳によるＡＴＭセルの転送遅延発生時に音声符号則をより低レートのものに切り替えて発生するＡＴＭセル数を抑制し、廃棄されるセル数を低減可能とする技術が提案されている。（例えば、特許文献１参照。）
【特許文献１】
特開平５−５６０６４号公報（第２頁、図３）
【０００４】
【発明が解決しようとする課題】
本発明の目的は、ＡＴＭ網の輻輳またはＡＴＭ伝送路の帯域制限によってＡＴＭセル転送状態が正常ではないと判断し、音声符号化を低レートに変更（生成ＡＴＭセル数低減）させる手段，方法として、上述した従来の技術（特許文献１記載技術）とは異なる手段、方法を用いて、ＡＴＭセル転送の正常ではない状態の軽減または回避を図り、現在の通信を極力維持することを可能とするＶｏＡＴＭ通信システム、及びそれに用いる音声符号化復号化装置と音声符号化選択の制御方法を提供することにある。
【０００５】
【課題を解決するための手段】
本発明の請求項１に係る音声符号化復号化装置は、外部から入力された音声情報を少なくとも第１のレートの符号則及びそれより低レートである第２のレートの符号則のいずれかにより符号化する符号化手段と、前記符号化手段で符号化された音声情報を所定量単位で分割し、対応する符号則情報とともにＡＴＭセルに挿入し、ＡＴＭ伝送路を介して対向する装置へ順次送出する音声情報分割手段と、前記ＡＴＭ伝送路を介して対向する装置からのＡＴＭセルを順次受信し、前記少なくとも第１のレートの符号則及びそれより低レートである第２のレートの符号則のいずれかにより符号化された音声情報を抽出し、対応する符号則情報とともに一時蓄積する音声情報再組立手段と、前記音声情報再組立手段に蓄積された符号化された音声情報を順次読み出し、対応する符号則情報に基づいて復号し外部へ出力するとともに、該当符号則が前記符号化手段で符号化している符号則より低レートである場合に、前記符号化手段に対し該当符号則で符号化するよう指示する復号化手段と、前記音声情報再組立手段で受信する前記ＡＴＭ伝送路を介して対向する装置からのＡＴＭセルの到着間隔時間を監視し、所定回数連続して対応する符号則に応じた規定間隔時間と許容される変動時間とから求めた所定時間を越えるか判定し、所定回数連続して所定時間を越えた場合に、前記符号化手段に対し現在の符号則より低レートの符号則で符号化するよう指示する間隔監視手段とを備える。
【０００６】
本発明の請求項２に係る音声符号化復号化装置は、外部から入力された音声情報を少なくとも第１のレートの符号則及びそれより低レートである第２のレートの符号則のいずれかにより符号化する符号化手段と、前記符号化手段で符号化された音声情報を所定量単位で分割し、対応する符号則情報とともにＡＴＭセルに挿入し、ＡＴＭ伝送路を介して対向する装置へ順次送出する音声情報分割手段と、前記ＡＴＭ伝送路を介して対向する装置からのＡＴＭセルを順次受信し、前記少なくとも第１のレートの符号則及びそれより低レートである第２のレートの符号則のいずれかにより符号化された音声情報を抽出し、対応する符号則情報とともに一時蓄積する音声情報再組立手段と、前記音声情報再組立手段に蓄積された符号化された音声情報を順次読み出し、対応する符号則情報に基づいて復号し外部へ出力するとともに、該当符号則が前記符号化手段で符号化している符号則より低レートである場合に、前記符号化手段に対し該当符号則で符号化するよう指示する復号化手段と、前記音声情報再組立手段に一時蓄積された音声情報の蓄積量を監視し、所定量以上あるか判定し、所定量未満となった場合に、前記符号化手段に対し現在の符号則より低レートの符号則で符号化するよう指示する蓄積量監視手段とを備える。
【０００７】
本発明の請求項３に係るＶｏＡＴＭ通信システムは、請求項１または２に係る音声符号化復号化装置で構成され、収容した電話端末との間で音声情報を送受信する加入者宅内装置と、請求項１または２に係る音声符号化復号化装置で構成され、収容された回線交換機との間で音声情報を送受信する局内終端装置と、ＡＴＭ装置を含んで構成され、前記加入者宅内装置及び前記局内終端装置間を接続し、ＡＴＭセルを相互に転送するＡＴＭ伝送路とを備える。
【０００８】
本発明の請求項４に係る音声符号化選択の制御方法は、２つの請求項１に係る音声符号化復号化装置がＡＴＭ伝送路を介して対向接続されたＶｏＡＴＭ通信システムの音声符号化選択の制御方法において、通信開始時に、前記２つの音声符号化復号化装置両方とも最高レートの符号則で音声情報の符号化を行い、いずれか一方の音声符号化復号化装置で、対向する他方の音声符号化復号化装置からのＡＴＭセルの到着間隔時間が所定回数連続して所定時間を越えたことを検出すると、自装置の符号則を現在の符号則より低レートの符号則とし、前記他方の音声符号化復号化装置で、前記一方の音声符号化復号化装置の符号則が現在の符号則より低レートの符号則となったことを検出すると、自装置の符号則を該当低レートの符号則とする工程を有する。
【０００９】
本発明の請求項５に係る音声符号化選択の制御方法は、２つの請求項２に係る音声符号化復号化装置がＡＴＭ伝送路を介して対向接続されたＶｏＡＴＭ通信システムの音声符号化選択の制御方法において、通信開始時に、前記２つの音声符号化復号化装置両方とも最高レートの符号則で音声情報の符号化を行い、いずれか一方の音声符号化復号化装置で、対向する他方の音声符号化復号化装置からのＡＴＭセルから抽出した音声情報の一時蓄積量が所定量未満となったことを検出すると、自装置の符号則を現在の符号則より低レートの符号則とし、前記他方の音声符号化復号化装置で、前記一方の音声符号化復号化装置の符号則が現在の符号則より低レートの符号則となったことを検出すると、自装置の符号則を該当低レートの符号則とする工程を有する。
【００１０】
本発明の請求項６に係る音声符号化選択の制御方法は、請求項１に係る第１の音声符号化復号化装置と請求項２に係る第２の音声符号化復号化装置とがＡＴＭ伝送路を介して対向接続されたＶｏＡＴＭ通信システムの音声符号化選択の制御方法において、通信開始時に、前記第１及び第２の音声符号化復号化装置両方とも最高レートの符号則で音声情報の符号化を行い、前記第１の音声符号化復号化装置で、前記第２の音声符号化復号化装置からのＡＴＭセルの到着間隔時間が所定回数連続して所定時間を越えたことを検出すると、自装置の符号則を現在の符号則より低レートの符号則とし、前記第２の音声符号化復号化装置で、前記第１の音声符号化復号化装置の符号則が現在の符号則より低レートの符号則となったことを検出すると、自装置の符号則を該当低レートの符号則とし、前記第２の音声符号化復号化装置で、前記第１の音声符号化復号化装置からのＡＴＭセルから抽出した音声情報の一時蓄積量が所定量未満となったことを検出すると、自装置の符号則を現在の符号則より低レートの符号則とし、前記第１の音声符号化復号化装置で、前記第２の音声符号化復号化装置の符号則が現在の符号則より低レートの符号則となったことを検出すると、自装置の符号則を該当低レートの符号則とする工程を有する。
【００１１】
【発明の実施の形態】
まず、本発明の概要を説明する。本発明は、音声情報をＡＴＭセル化して転送する通信システムであるＶｏＡＴＭ通信システムにおいて、ある音声転送パスのＡＴＭセル転送状態が正常かどうかを常時確認し、ＡＴＭ網の輻輳またはＡＴＭ伝送路の帯域制限によってそれが正常ではないと判断したとき、音声符号化を低レートに変更することによって生成されるＡＴＭセル数を低減させて、正常ではない状態を軽減または回避し、現在の通信を極力維持することを可能とする。
【００１２】
より具体的に説明する。本発明を適用するＶｏＡＴＭ通信システムは、ＴＤＭ伝送路を介して回線交換機に収容された局内終端装置と、ＴＤＭ伝送路を介して電話端末を収容する加入者宅内装置とが、ＡＴＭ装置を含むＡＴＭ伝送路を介して相互に接続されていて、音声情報のＡＴＭセル変換およびその逆変換を行う。その変換時に音声符号則を選択することができ、通常の場合、音声品質を優先すべく高レートを利用する。音声情報のＡＴＭセルは一定間隔で生成し対向装置へ伝送されることを利用し受信側でもその到着間隔を監視することで、ＡＴＭ装置における輻輳あるいはＡＴＭ伝送路における帯域制限を受けていることを検知することが可能である。このとき音声符号則を低レートに切り替えることで、音声情報のＡＴＭセル生成数が低減する結果、輻輳の軽減または帯域制限が回避されることを期待することができる。
【００１３】
次に、本発明の実施の形態について図面を参照して詳細に説明する。
【００１４】
図１は本発明のＶｏＡＴＭ通信システムの一実施の形態を示すシステム構成図であり、本発明に関係する部分のみを示している。
【００１５】
図１において、本例のＶｏＡＴＭ通信システムは、従来の電話通信システムであった回線交換機５０と電話端末１０及びＴＤＭ伝送路７０をそのまま使用して、局側に局内終端装置４０、さらに加入者側に加入者宅内装置２０を追加設置して、これらをＡＴＭ伝送路６０で接続する。中間のＡＴＭ装置３０は中継伝送装置である。局内終端装置４０と加入者宅内装置２０は、どちらもＴＤＭ伝送路７０から転送される音声情報を蓄積し、共通の手段を用いてＡＴＭセルに変換してＡＴＭ伝送路６０に送出する機能、およびこれらの逆機能を有する。
【００１６】
図２は、局内終端装置４０及び加入者宅内装置２０の詳細な構成例（第一の実施の形態）を示すブロック構成図である。局内終端装置４０及び加入者宅内装置２０はそれぞれ、符号化部４１，２１と、音声情報分割部４２，２２と、音声情報再組立部４３，２３と、復号化部４４，２４と、間隔監視部４５，２５とを有している。基本構成及び動作原理は、局内終端装置４０及び加入者宅内装置２０のどちらも同じものなので、局内終端装置４０を例にとって説明する。加入者宅内装置２０に関しては、各機能ブロックの符号番号及び外部との送受信信号の伝送方向を読み替えてもらえばよい。
【００１７】
局内終端装置４０では、回線交換機５０から電話端末１０への下り方向へ転送される情報は、ＴＤＭ伝送路７０より受信した音声情報を符号化部４１にて符号化する。こうして符号化された音声情報は一定量蓄積され、一定間隔をもって音声情報分割部４２によりＡＴＭセル化されてＡＴＭ伝送路６０に送出される。
【００１８】
電話端末１０から回線交換機５０への上り方向へ転送される情報は、ＡＴＭ伝送路６０より受信したＡＴＭセルを音声情報再組立部４３により音声情報を抽出する。ＡＴＭセルにはその音声情報の音声符号則を表示する情報が含まれており、これらの情報をもとに復号化部４４でもとの音声情報に戻されて、ＴＤＭ伝送路７０に送出される。上記動作に並行してＡＴＭセルの到着間隔を間隔監視部４５で観測している。
【００１９】
間隔監視部４５は、図示していないが、ＡＴＭセルの音声情報再組立部４３への入力を検出する手段と、ＡＴＭセルの前回の入力時点から今回の入力時点までの間隔時間を計時する手段と、この間隔時間が所定時間を超えたかどうか判定する手段と、連続して間隔時間が所定時間を超えた回数を計数（カウント）する手段と、カウントした回数が所定回数を越えたかどうか判定し、越えた場合にＡＴＭセル転送状態が正常でないと判定する手段とを有している。
【００２０】
符号化部４１における符号化則の選択は、間隔監視部４５におけるＡＴＭセルの到着間隔の観測結果と復号化部４４におけるＡＴＭセルに含まれる音声符号則の情報をもとに適当な符号化則が決定される。
【００２１】
本発明のＶｏＡＴＭ通信システムでは、ある音声チャンネルの音声符号則は上り方向と下り方向で一致させて動作させることを前提とし、符号化部４１で選択される符号化則は復号化部４４で用いられている音声符号則に追従することを原則とする。
【００２２】
図６に音声符号則に対応するＡＴＭセルの構成例を示す。同図分図（Ａ）は６４ｋｂ／Ｓ−ＰＣＭ（以下、６４ｋＰＣＭあるいは単にＰＣＭと略記する場合がある、ＰＣＭ：Ｐｕｌｓｅ  Ｃｏｄｅ  Ｍｏｄｕｌａｔｉｏｎ）、分図（Ｂ）は３２ｋｂ／Ｓ−ＡＤＰＣＭ（以下、３２ｋＡＤＰＣＭと略記する場合がある、ＡＤＰＣＭ：Ａｄａｐｔｉｖｅ  Ｄｉｆｆｅｒｅｎｃｅ  Ｐｕｌｓｅ  Ｃｏｄｅ  Ｍｏｄｕｌａｔｉｏｎ（適応差分ＰＣＭ））のセル構造（本発明に関係する部分のみ）を示す。
【００２３】
ＡＴＭセルは５３オクテット（１オクテット＝８ビット（1バイト））の固定長であり、５オクテットのＡＴＭヘッダと、４８オクテットのペイロード（ユーザ情報）とから成る。符号化レートは、２オクテット領域にまたがって設定されるＵＵＩ（Ｕｓｅｒ−ｔｏ−Ｕｓｅｒ  Ｉｎｄｉｃａｔｉｏｎ：ユーザ間表示（５ビット））の値によって識別することができる。例えばＩＴＵ−Ｔ  Ｉ．３６６．２  で定義されるＰｒｏｆｉｌｅ  １３を使用すれば、ＵＵＩ＝０〜７の場合は６４ｋＰＣＭ、ＵＵＩ＝８〜１５の場合は３２ｋＡＤＰＣＭと認識することができる。
【００２４】
６４ｋＰＣＭ（分図（Ａ））の場合は、８ビット単位の各ＰＣＭデータ１〜４０が、オクテット対応に並んでいる。
【００２５】
３２ｋＡＤＰＣＭ（分図（Ｂ））の場合は、４ビット単位の各ＡＤＰＣＭデータ１〜８０が、２つずつオクテット対応に並んでいる。
【００２６】
次に、上述した図１，図２，図６とともに、図３を参照して本実施の形態例の動作を説明する。図３は、局内終端装置４０及び加入者宅内装置２０の動作フローを示した図である。局内終端装置４０及び加入者宅内装置２０どちらにおいても同一のフローで動作する。上り方向または下り方向のどちらでＡＴＭセルの転送が正常にできなくなる要因があるのかがわからないため、そのどちら方向においても対応するために局内終端装置４０及び加入者宅内装置２０の両方に図３に示す動作機能を配備する。
【００２７】
ある音声転送パスが設定され通信が開始されるとき（図３のステップＳ１００）、局内終端装置４０の符号化部４１は必ず高レート（６４ｋＰＣＭ）の音声符号則を選択して音声情報の符号化を行う。これに従い加入者宅内装置２０の復号化部２４は高レートの音声符号則であることを検知し、こちらの符号化部２１も高レートを選択する。通常はこの状態で通信終了まで上り方向下り方向ともに高レートを利用することになる（ステップＳ１０１）。
【００２８】
なお本例では、符号化部４１，２１及び復号化部４４，２４に対し入出力するＴＤＭ伝送路７０上の音声情報信号は、６４ｋＰＣＭの音声符号則で符号化された信号とする。ＡＴＭ伝送路６０上で転送される音声情報信号がこの高レート（６４ｋＰＣＭ）の音声符号則の場合、符号化部４１，２１及び復号化部４４，２４では、符号則の変換を行わず、そのまま通過（スルー）させる。勿論、ＴＤＭ伝送路７０上の音声情報信号は６４ｋＰＣＭ以外でもかまわない。その場合、符号化部４１，２１及び復号化部４４，２４は、ＡＴＭ伝送路６０に対して高レート（６４ｋＰＣＭ）の音声符号則を用いるときにも、適切な符号則の変換を行う。
【００２９】
ＡＴＭ装置３０およびＡＴＭ伝送路６０を転送されるＡＴＭセルは、一定の間隔をもって転送される。例えばＩＴＵ−Ｔ  Ｇ．７１１で規定されるＰＣＭを利用する場合、ＩＴＵ−Ｔ  Ｇ．３６６．２の規定によると５ｍｓ毎にＡＴＭセルの転送が発生する。
【００３０】
しかしＡＴＭ装置３０の輻輳もしくはＡＴＭ伝送路６０の帯域制限により、ＡＴＭセルの転送が正常に行われなくなった場合、例えば上り方向でＡＴＭセルの転送が正常に行われなくなった場合、このことを局内終端装置４０に配備された間隔監視部４５が、音声情報再組立部４３へのＡＴＭセルの到着間隔が一定（所定値どおり）でないことを検出する（ステップＳ１０２，Ｓ１０３）。
【００３１】
ここで、間隔監視部４５によるＡＴＭセルの間隔監視の具体例を説明する。ＡＴＭセルの規定の転送間隔を５ｍｓとし、その許容バースト時間を０．７２ｍｓとした場合を例に説明する。間隔監視部４５は、音声情報再組立部４３へ到着するＡＴＭセルを監視し、その到着間隔を計時する。計時の結果が、所定の閾値、すなわち５ｍｓ＋０．７２ｍｓ＝５．７２ｍｓまではＯＫ（良）と判断する。所定の閾値（５．７２ｍｓ）を越えた場合は、さらに連続して何回超えるかカウントし、所定回数（例えば、３回）連続して越えた場合に、ＡＴＭセルの転送が正常に行われなくなったと判定する。
【００３２】
なお、この所定回数（閾値越えの継続回数）は、音声情報再組立部４３に存在するバースト吸収バッファ（詳細説明は後述）に蓄積される音声情報が、その容量を超えない程度に設定することが望ましい。そうでないと通話の音欠け時間が長くなる場合がありサービス上違和感がある。もちろん、サービス上の考慮をしないのであれば、長く（回数を大きく）設定することも可能。
【００３３】
この結果を受けて、局内終端装置４０の符号化部４１は今まで高レートであった音声符号則を低レート（３２ｋＡＤＰＣＭ）に切り替える。すると加入者宅内装置２０の復号化部２４は低レートの音声符号化則であることを検知し（ステップＳ１０２）、こちらの符号化部２１も低レートに切り替える。この操作の結果、上り方向、下り方向ともに低レートが選択されたことになる（ステップＳ１０４）。
【００３４】
例えば今までＰＣＭ（６４ｋＰＣＭ）を利用していて、ＡＴＭセルの転送が正常でないことを検出した結果低レートに切り替えるのに、ＩＴＵ−Ｔ  Ｇ．７２６で規定される３２ｋＡＤＰＣＭを選択したとすると、ＩＴＵ−Ｔ  Ｇ．３６６．２の規定によると１０ｍｓ毎にＡＴＭセルの転送が発生する。この結果はＡＴＭセルの発生数が低減（半減）されたことを示す。
【００３５】
以上の操作により、上り方向でＡＴＭセルの転送が正常に行われなくなったことを局内終端装置４０の間隔監視部４５で検出した結果、上り方向、下り方向ともに低レートの音声符号則が選択されたため、ＡＴＭセルの発生数が低減される。これによりＡＴＭ装置３０における輻輳状態の軽減またはＡＴＭ伝送路６０における帯域制限の回避を期待すること、および現在の通信を極力維持することが可能になる。
【００３６】
以上説明した場合とは逆に、下り方向でＡＴＭセルの転送が正常に行われなくなったことを加入者宅内装置２０の間隔監視部２５で検出した場合も、上記と同様の動作により上り方向、下り方向ともに低レートの音声符号則が選択されるようになり、ＡＴＭ装置３０における輻輳状態の軽減またはＡＴＭ伝送路６０における帯域制限の回避を期待すること、および現在の通信を極力維持することが可能になる。
【００３７】
このようにして、一旦、３２ｋＡＤＰＣＭ（＝１０ｍｓ間隔）になると、通話が終了するまで、その状態を保持する。その後、一旦電話を切ってかけ直すと、図３に示すように、再度、６４ｋＰＣＭ（＝５ｍｓ間隔）で通話を開始する。
【００３８】
次に、本発明の他の実施の形態について説明する。
【００３９】
図４は、局内終端装置４０及び加入者宅内装置２０の詳細な構成例（第二の実施の形態）を示すブロック構成図である。局内終端装置４０及び加入者宅内装置２０はそれぞれ、符号化部４１，２１と、音声情報分割部４２，２２と、音声情報再組立部４３，２３と、バッファ監視部４６，２６とを有している。図４に示す局内終端装置４０及び加入者宅内装置２０が、図２に示す局内終端装置４０及び加入者宅内装置２０とそれぞれ異なる点は、ＡＴＭセルの到着間隔を監視する手段として、間隔監視部４５，２５の代わりにバッファ監視部４６，２６を有する点である。
【００４０】
図５にバッファ監視部４６，２６が監視する音声情報再組立部４３，２３の構成例を示す。音声情報再組立部４３，２３はそれぞれ、ＡＴＭ伝送路６０とのインタフェースを司るインタフェース部４３１，２３１と、ＡＴＭセルから音声情報を抽出する再組立部４３２，２３２と、音声情報を一時蓄積するバースト吸収バッファ４３３，２３３とを有している。
【００４１】
音声情報再組立部４３及び音声情報再組立部２３の基本構成及び動作原理はどちらも同じものなので、ここでは局内終端装置４０の音声情報再組立部４３を例にとって説明する。加入者宅内装置２０の音声情報再組立部２３に関しては、各機能ブロックの符号番号を（）内に示すので、読み替えてもらえばよい。
【００４２】
音声情報再組立部４３（２３）では、インタフェース部４３１（２３１）を介してＡＴＭ装置３０から入力されてきたＡＴＭセルを受け取り、再組立部４３２（２３２）で元の情報を抽出しバースト吸収バッファ４３３（２３３）に、元の音声情報と符号化情報（ＰＣＭ／ＡＤＰＣＭの識別情報）を同時に蓄積していく。バースト吸収バッファ（以下、バッファと略記する場合がある）に２セル分（＝８０バイト分）蓄積した状態になったら、バッファから１バイトずつ読み出す。
【００４３】
符号化則が６４ｋＰＣＭの場合、入力されるＡＴＭセルは５ｍｓ間隔、バッファへの書き込みは４０バイト／５ｍｓ、読み出しは１バイト／１２５μｓとなる。
【００４４】
符号化則が３２ｋＡＤＰＣＭの場合は、入力されるＡＴＭセルが１０ｍｓ間隔となり、バッファへの書き込みは４０バイト／１０ｍｓ、読み出しは１バイト／２５０μｓと変化させる。
【００４５】
これは、復号化部４４０（２４０）が必要な情報量は、６４ｋＰＣＭの場合８ビット／１２５μｓ、３２ｋＡＤＰＣＭの場合４ビット／１２５μｓであることによる。
【００４６】
この他の構成例としては、再組立部４３２（２３２）の次段に、３２ｋＡＤＰＣＭ→６４ｋＰＣＭ変換部を配備し、すべて６４ｋＰＣＭの情報に統一させてバースト吸収バッファ４３３（２３３）に蓄積していくという方法もある。この場合、バッファに蓄積されていくのは８ビットの音声情報のみとなり、読み出しも８ビット／１２５μｓで統一することができる。
【００４７】
次に、バッファ監視部４６，２６の動作を説明する。バッファ監視部４６及びバッファ監視部２６の基本構成及び動作原理はどちらも同じものなので、ここでは局内終端装置４０のバッファ監視部４６を例にとって説明する。加入者宅内装置２０に関しては、各機能ブロックの符号番号を（）内に示すので、読み替えてもらえばよい。
【００４８】
音声情報再組立部４３（２３）は、ＡＴＭ伝送路６０から入力されるＡＴＭセルから音声情報を抽出した結果、その分の情報がバースト吸収バッファ４３３（２３３）に蓄積された状態となっていて、順番に復号化部４４（２４）にその情報を渡していく。この蓄積量はバッファのある一定の範囲に収まるように次のＡＴＭセルが到着するはずなので、バッファ監視部４６（２６）によりその蓄積量を観測（監視）することによって、ＡＴＭ装置３０あるいはＡＴＭ伝送路６０がＡＴＭセルを正常に転送できていないことを検知することができる。
【００４９】
ここで、バッファ監視部４６（２６）による蓄積量監視の具体例を説明する。バースト吸収バッファ４３３（２３３）は、常時２つのＡＴＭセル分の音声情報（８０バイト）を蓄積した状態を、標準（正常）状態とする。これより蓄積量が小さくなるとバースト耐性が悪くなり（例えば、ＡＴＭセルの送信間隔が５ｍｓの場合、規定の許容バースト時間は０．７２ｍｓある）、これより蓄積量が大きくなるとＥｎｄ−Ｅｎｄ間の遅延が大きくなってしまいサービス上の観点から望ましくない。
【００５０】
バッファ監視部４６（２６）は、音声情報再組立部４３（２３）のバースト吸収バッファ４３３（２３３）における音声情報の蓄積量を監視し、音声情報が残り１０バイト分程度になったら、ＡＴＭセルが正常に転送できていないと判定し、符号化部４２（２２）に対し、低レートの符号則で符号化するよう指示する。
【００５１】
なお、本第二の実施の形態における局内終端装置４０及び加入者宅内装置２０の他のブロック（符号化部、復号化部など）や全体の動作は、上述した第一の実施の形態（図１〜３）と同様なので詳細説明は省略する。
【００５２】
上述した第１の実施の形態及び第２の実施の形態においては、局内終端装置４０と加入者宅内装置２０とで、ＡＴＭセルの到着間隔を監視する手段として、それぞれ同一の手段、すなわち、間隔監視部４５，２５かバッファ監視部４６，２６かのいずれか一方のみを採用している。しかし、本発明はこれに限定されることなく、局内終端装置４０と加入者宅内装置２０とで、違う手段を採用することができる。すなわち、局内終端装置４０に間隔監視部４５を設けて加入者宅内装置２０にバッファ監視部２６を設けるか、あるいは、局内終端装置４０にバッファ監視部４６を設けて加入者宅内装置２０に間隔監視部２５を設けるようにすることができる。
【００５３】
また、符号化部４１，２１及び復号化部４４，２４で処理する符号則として、高レートの６４ｋＰＣＭと、低レートの３２ｋＡＤＰＣＭとの２種類しか説明しなかったが、本発明はこれに限定されることなく、３種類以上のレートの異なる符号則を用いることができる。例えば、３２ｋＡＤＰＣＭよりも低レートの符号則として、ＩＴＵ−Ｔ  Ｉ３６６．２  に規定されるＣＳ−ＡＣＥＬＰという符号化則がある。これを使用すると、ＡＴＭセル間隔が２０ｍｓになり、３２ｋＡＤＰＣＭよりもさらに効率的にＡＴＭセル転送数を減らすことができるようになる。
【００５４】
【発明の効果】
本発明によれば、ＡＴＭ伝送区間における輻輳あるいは帯域制限が発生した場合に、保守者等による人的介入による制御を不要としてその不具合の軽減または回避を期待することできる。これにより、ＡＴＭ伝送区間の不具合が発生している状態でも、すぐに回線不通状態にさせず現在の通信を極力維持することを試みることができる。その際、ＡＴＭ伝送路から入力されるＡＴＭセルに含まれている音声符号則情報を期待値としてＡＴＭセルの到着間隔を測定するだけであるので、特別なハードウェアを必要としない。
【図面の簡単な説明】
【図１】本発明のＶｏＡＴＭ通信システムの一実施の形態を示すシステム構成図である。
【図２】本発明の局内終端装置及び加入者宅内装置の第一の実施の形態を示すブロック構成図である。
【図３】局内終端装置及び加入者宅内装置の動作フロー図である。
【図４】本発明の局内終端装置及び加入者宅内装置の第二の実施の形態を示すブロック構成図である。
【図５】音声情報再組立部の構成例を示すブロック構成図である。
【図６】音声符号則に対応するＡＴＭセルの構成例を示す図である。
【符号の説明】
１０    電話端末
２０    加入者宅内装置
３０    ＡＴＭ装置
４０    局内終端装置
５０    回線交換機
２１，４１    符号化部
２２，４２    音声情報分割部
２３，４３    音声情報再組立部
２４，４４    復号化部
２５，４５    間隔監視部
２６，４６    バッファ監視部
２３３，４３３    バースト吸収バッファ
【図１】
2004207964.tif 000003
【図２】
2004207964.tif 000004
【図３】
2004207964.tif 000005
【図４】
2004207964.tif 000006
【図５】
2004207964.tif 000007
【図６】
2004207964.tif 000008